(57)【要約】【課題】二次フィルタとその上流側に配置された一次フィルタの除塵を夫々に見合った態様で同時にできる電気掃除機を提供する。【解決手段】掃除機本体にこの本体に内蔵された電動送風機の上流側に位置してダストカップ（集塵容器）１３を取外し可能に配置する。一次フィルタ枠２２、この枠内に設けられた可撓性を有する桟２３、及びこれらに渡って張られたネット２４を有した一次フィルタ２１を、ダストカップ１３にその内部の集塵室１５に臨んで配設する。二次フィルタ枠３２及びこの内側に設けられた波形状ろ過部材３３を有した二次フィルタ３１を、一次フィルタ２１の下流側に位置してダストカップ１３に配設する。ろ過部材３３の下流側の襞３３ｂが並んだ方向に移動されてこれらの襞３３ｂを弾く除塵体４３を有した除塵装置４１を、二次フィルタ３１の下流側に設ける。桟２３とろ過部材３３の襞３３ｂに渡って襞３３ｂの振動を桟２３に波及させる連結手段５１を設けたことを特徴としている。【選択図】      図８
2010125230.tif 000002
【特許請求の範囲】
【請求項１】
電動送風機が内蔵された掃除機本体と、
前記電動送風機の上流側に位置して前記掃除機本体に取外し可能に配置されかつ集塵室を有した集塵容器と、
一次フィルタ枠、このフィルタ枠内に設けられた可撓性を有する桟、及びこれら一次フィルタ枠及び桟に渡って張られたネットを有して形成されるとともに、前記集塵容器内に前記集塵室に臨んで配設された一次フィルタと、
二次フィルタ枠及びこの内側に設けられた波形状ろ過部材を有して形成され、前記一次フィルタの下流側に位置して前記集塵容器に配設された二次フィルタと、
この二次フィルタの下流側に設けられ、前記ろ過部材の下流側の襞が並んだ方向にこれら下流側の襞を弾いて移動される除塵体を有した除塵装置と、
前記桟と前記ろ過部材の上流側又は下流側の襞とにわたって設けられ前記襞の振動を前記桟に波及させる連結手段と、
を具備したことを特徴とする電気掃除機。
【請求項２】
前記二次フィルタが前記集塵容器に着脱可能であり、前記連結手段が、前記桟に固定された一次側連結部材と、前記ろ過部材の襞に固定され前記集塵容器に対して前記二次フィルタが着脱される方向に沿って前記一次側連結部材に着脱可能な二次側連結部材を有してなることを特徴とする請求項１に記載の電気掃除機。
【請求項３】
前記連結手段が、前記桟に固定された一次側連結棒と前記ろ過部材の襞に固定された二次側連結棒とを接続してなることを特徴とする請求項１に記載の電気掃除機。
【請求項４】
前記一次側連結棒の中間部が支点により回動可能に支持されていて、前記一次側連結棒の前記支点から前記桟までの長さが、前記一次側連結棒の前記支点から前記二次連結棒との接続部までの長さより長いことを特徴とする請求項３に記載の電気掃除機。
【発明の詳細な説明】
【技術分野】
【０００１】
本発明は、一次フィルタとこれより目が細かな二次フィルタが配設された集塵容器が掃除機本体に取外し可能に配置された電気掃除機に関する。
【背景技術】
【０００２】
従来、粗塵を捕捉するネットフィルタ及びこのネットフィルタを通過した細塵を捕捉するプリーツフィルタからなる細塵フィルタが設けられた集塵容器を、掃除機本体の前部に着脱可能に収納するとともに、掃除機本体の後部に電動送風機を内蔵した電気掃除機が知られている（例えば、特許文献１参照。）。
【０００３】
この特許文献１に記載の電気掃除機が備える細塵フィルタは、横断面形状が波形状に形成されたフィルタ部材をフィルタ枠の内側に装着してなり、ネットフィルタに対してその下流側から対向して設けられている。これとともに、細塵フィルタの下流側に除塵装置が設けられている。除塵装置は、フィルタ枠の左右方向に延びるスライドレールと、このレールに沿って摺動するスライド部材とを有していて、スライド部材は掃除機本体から集塵容器が取出された状態で手動により左右方向に動かされる。それにより、スライド部材が有した当接突起が、波形状フィルタ部材の下流側の頂部（襞）を乗り越えながら移動するので、この頂部がはじかれてフィルタ部材が振動されることに伴い、フィルタ部材に捕捉された細塵が振るい落とされ、細塵フィルタに対する除塵がなされる。
【特許文献１】特開2007−319352号公報（段落0012−0053、図１−図６）
【発明の開示】
【発明が解決しようとする課題】
【０００４】
特許文献１に記載された除塵装置は、プリーツフィルタからなる細塵フィルタの除塵をするだけのものであるから、細塵フィルタにその上流側から対向して配設されたネットフィルタに捕捉されている塵を、前記除塵装置で同時に落とすことはできない。
【０００５】
ネットフィルタに捕捉されている塵は、集塵容器の底蓋を開いて、この容器内の集塵室からこの集塵室内に溜まった塵を捨てる際に、集塵容器全体を外部から意図的に叩くこと等の操作をすることで落すことが可能である。しかし、こうした操作が必ず使用者によって行われる保証がないとともに、意図的に前記操作が行われた場合でもネットフィルタに対する除塵が十分に行われる保証がない。
【０００６】
そのため、除塵装置の操作により細塵フィルタの目詰まりが解消されても、ネットフィルタが目詰まった状態に維持されていることがある。このようにネットフィルタが目詰まった状態に維持されていると、ネットフィルタでの通気抵抗の増加により、含塵空気の吸引力が低下せざるを得ないので、その改善が求められている。
【０００７】
本発明の目的は、二次フィルタとその上流側に配置された一次フィルタの除塵を夫々に見合った態様で同時にできる電気掃除機を提供することにある。
【課題を解決するための手段】
【０００８】
本発明は、掃除機本体にこの本体に内蔵された電動送風機の上流側に位置して集塵容器を取外し可能に配置し、一次フィルタ枠このフィルタ枠内に設けられた可撓性を有する桟及びこれらに渡って張られたネットを有した一次フィルタを、集塵容器にその内部の集塵室に臨んで配設するとともに、二次フィルタ枠及びこの内側に設けられた波形状ろ過部材を有した二次フィルタを、一次フィルタの下流側に位置して集塵容器に配設し、ろ過部材の下流側の襞が並んだ方向に移動されてこれらの襞を弾く除塵体を有した除塵装置を二次フィルタの下流側に設け、桟とろ過部材の上流側又は下流側の襞とにわたってこの襞の振動を桟に波及させる連結手段を設けたことを特徴としている。
【発明の効果】
【０００９】
本発明の電気掃除機によれば、除塵装置で二次フィルタの襞を振動させて二次フィルタの除塵をすると同時に、襞の振動を一次フィルタに連結手段で波及させ、この一次フィルタの桟を可撓変形させて一次フィルタの除塵をするので、二次フィルタとその上流側に配置された一次フィルタの除塵を夫々に見合った態様で同時にできる。
【発明を実施するための最良の形態】
【００１０】
図１〜図８を参照して本発明の第１実施形態を説明する。
【００１１】
図１〜図３中符号１は電気掃除機を示している。この電気掃除機１が備える掃除機本体２は、その後部２ａに取付けられた車輪３及び前部下面に取付けられた図示しないキャスターの転がり運動によって被掃除面上を容易に移動可能である。
【００１２】
掃除機本体２の後部２ａに電動送風機９（図３参照）が内蔵されている。掃除機本体２の前部は集塵装置載置部４を形成している。集塵装置載置部４の前端に受け部５が上向きに起立されている。図２及び図３に示すように掃除機本体２の前部は、この掃除機本体２を前から後方に見て斜めに後向きに開放されている。言い換えれば、掃除機本体２は、集塵装置載置部４と、この集塵装置載置部４の周部から立ち上がった左右の前部側壁２ｂと、後述の仕切り壁部２ｃ(図３参照)等によって区画された収容空間Ｓを有している。この収容空間Ｓは、電動送風機９の吸込み側（上流側）に設けられている。収容空間Ｓは仕切り壁部２ｃに設けた開口等からなる通気部２ｄ(図３参照)を通って電動送風機９の吸込み口に連通されている。
【００１３】
掃除機本体２は収容空間Ｓの上方開放部を開閉可能に覆う開閉部材６を有している。この開閉部材６は、ヒンジ軸７（図３参照）により収容空間Ｓと前記後部２ａを仕切る掃除機本体２の仕切り壁部２ｃの上端部に回動自在に取付けられている。ヒンジ軸７は、図１に示すように開閉部材６が閉じられた状態でこの開閉部材６の後端部に位置して前部側壁２ｂで隠されるとともに、図２及び図３に示すように開閉部材６が開かれた状態でこの開閉部材６の下端部に位置される。
【００１４】
開閉部材６が閉じられた状態では、この開閉部材６の前端部が受け部５に図示しない係脱手段を介して連結される。これとともに、この係脱手段の連結を開閉部材６に設けた図示しない解除摘みの操作で解除することにより、開閉部材６を手動で開くことができるようになっている。開閉部材６が閉じられた状態では、受け部５の上下両端が支持されるので、この状態で起こされた後述の本体ハンドル８を使用者が握って掃除機本体２を持ち運ぶことが可能である。
【００１５】
図１〜図３中符号８は掃除機本体２に設けられた本体ハンドル８を示している。この本体ハンドル８は、図１中実線で示すように前部側壁２ｂに略面一に連続する格納位置と、図１中ニ点鎖線で示すように上向きに起こされた使用位置とにわたり起倒可能である。
【００１６】
開閉部材６はその先端部に本体吸込み口６ａを有している。この本体吸込み口６ａには開閉部材６が閉じられた状態で可撓性の吸塵ホース（図示しない）の本体接続端部が着脱自在に接続される。吸塵ホースの先端には、図示しない延長管が接続され、この延長管の先端に被掃除面に接する図示しない吸込み口体が接続される。したがって、これら吸塵ホース、延長管、及び吸込み口体からなる吸込み風路体を通して吸塵がされる。
【００１７】
図２及び図３に示すように集塵装置１１が収容空間Ｓに着脱自在に配置されている。この配置状態で電動送風機９が運転されることにより、吸気負圧が通気部２ｄを通って集塵装置１１に後側から波及し、更に吸気負圧は前記吸込み風路体に波及されるので、被掃除面の塵が吸引されるようになっている。
【００１８】
図４に示すように集塵装置１１は、慣性分離部をなすサイクロン部１２と、集塵容器例えばダストカップ１３と、一次フィルタ２１と、二次フィルタ３１と、除塵装置４１と、連結手段５１を備えている。
【００１９】
サイクロン部１２はその内部に前方に開放する塵入口１２ａを有している。この塵入口１２ａは、開閉部材６が閉じられた状態で本体吸込み口６ａの後端に連通される。サイクロン部１２は、塵入口１２ａから流入してサイクロン部１２内で旋回される含塵空気中の塵を空気から塵の慣性力を利用して分離する。図４に示すようにサイクロン部１２は塵分離部１２ｂを備えている。塵分離部１２ｂは、サイクロン部１２内の略中央部に略円錐台形状をなして設けられていて、その周面に塵から分離される空気及び細塵の流通を許すネットからなる分離フィルタを有している。サイクロン部１２はその外周側に質量が大きい塵を空気ととともに排出する塵出口（図示しない）を有している。
【００２０】
図４に示すようにダストカップ１３は、カップ本体１３ａ、カップ底蓋１３ｂ、及びカップハンドル１３ｃを備えている。
【００２１】
カップ本体１３ａの底面及び後面（背面）は夫々開放されている。カップ本体１３ａ内には隔壁１４が設けられていて、この隔壁１４により、カップ本体１３ａ内が集塵室１５と通気室１６に仕切られている。隔壁１４はカップ本体１３ａの前側壁１３ｄから後方に突出するように一体に成形されている。
【００２２】
集塵室１５は隔壁１４と前側壁１３ｄとで囲まれて形成されていて、その下端はカップ本体１３ａの底面の大部分を占めて開放されている。通気室１６は、隔壁１４の上側、左右両側、及び後側を囲んで形成されており、その下端は集塵室１５より後側でカップ本体１３ａの底面に開放されている。
【００２３】
このカップ本体１３ａの上側にサイクロン部１２が連結されている。サイクロン部１２の塵出口は集塵室１５に連通されている。サイクロン部１２の塵分離部１２ｂは、サイクロン部１２の内部空間と通気室１６の境界をなしていて、その分離フィルタを通じてサイクロン部１２の内部空間と通気室１６とが連通されている。
【００２４】
カップ底蓋１３ｂはカップ本体１３ａの底面開口を開閉可能に閉じている。カップ底蓋１３ｂはカップ本体１３ａの後面部下端側にカップ本体１３ａに回動可能に取付けられていて、その回動によりカップ本体１３ａの底面開口、すなわち、集塵室１５及び通気室１６の下面開口を同時に開閉する。なお、図４及び図５中符合１３ｅはカップ底蓋１３ｂと一体のヒンジ部材を示している。通気室１６の下面開口でかつカップ本体１３ａの後面開口寄りを閉じるカップ底蓋１３ｂの部位は、図４に示すように他より深く形成されて細塵溜め凹部１７をなしている。このカップ底蓋１３ｂを、掃除機本体２から集塵装置１１が外された状態で開くことにより、後述のように二次フィルタ３１から落とされた塵、及び後述する集塵室１５内の塵を、集塵装置１１から排出させることができる。
【００２５】
カップハンドル１３ｃは、カップ本体１３ａの前面をなした前記前側壁１３ｄに取付けられている。集塵装置１１は、そのダストカップ１３を集塵装置載置部４に載置するとともに、カップハンドル１３ｃを受け部５に支持させた状態で収容空間Ｓに着脱自在に収容される。この収容状態で開閉部材６が閉じられることにより、この開閉部材６と集塵装置載置部４とはそれらの間に集塵装置１１を上下から挟んで保持するようになっている。
【００２６】
図４に示すように一次フィルタ２１は隔壁１４に配設されている。詳しくは、隔壁１４はカップ本体１３ａの後面開口に対向し、かつ、下側から上側に向かうに従い次第に前側壁１３ｄ側に寄るように斜め前側に傾斜した部位を有していて、この傾斜部位に一次フィルタ２１が設けられている。
【００２７】
一次フィルタ２１は、図５に示すように一次フィルタ枠２２と、桟２３と、ネット２４を有して形成されている。この一次フィルタ２１は、隔壁１４とは別体に作られて隔壁１４に装着されるものでも、以下説明するように隔壁１４に一体に成形されるものであっても差し支えない。
【００２８】
一次フィルタ枠２２は例えば四角枠形状をなして隔壁１４に一体に成形されている。桟２３は、一次フィルタ枠２２内を格子状例えば井桁格子状に仕切って、この一次フィルタ枠２２と一体に成形されている。そのために、桟２３は図５に示すように横桟部とこれに交差した縦桟部を有している。この桟２３は、一次フィルタ枠２２よりも可撓変形が容易である。この可撓変形を可能とするために、桟２３を、例えば一次フィルタ枠２２よりも薄肉にするか、又は細くするか、或いは一次フィルタ枠２２より軟質な合成樹脂により形成するか、若しくはこれらの態様を組合せて形成するとよい。
【００２９】
ネット２４は、サイクロン部１２から集塵室１５に導入された粗塵を捕捉するために用いられている。このネット２４は、一次フィルタ枠２２及び桟２３にわたって張った状態に設けられている。このネット２４は、隔壁１４にインサート成形により装着されている。
【００３０】
図４に示すように前傾状態に配設された一次フィルタ２１は、集塵室１５に臨んでいるとともに通気室１６にも臨んでいる。したがって、この一次フィルタ２１を通じて集塵室１５と通気室１６とは連通されている。桟２３は複数の結合部２５を一定間隔で有している。即ち、図５に示すようにネット２４の上下方向中央部に固定されている桟２３の横桟部に、これと縦桟部が交差した部位及びその両側に夫々に結合部２５が設けられている。これらの結合部２５はその中央にねじ通孔を有している。
【００３１】
図４及び図６に示すように二次フィルタ３１は、一次フィルタ２１の下流側に位置されたダストカップ１３の後面開口を塞いでダストカップ１３に配設されている。この二次フィルタ３１は、二次フィルタ枠３２及びこの内側に設けられたろ過部材３３を有して形成されている。二次フィルタ枠３２の外周部に環状に連続する気密シール材３４が装着されていて、この気密シール材３４をカップ１３の後面開口部の内面に接触させて二次フィルタ３１がダストカップ１３に取付けられている。なお、図６中符号３２ａは気密シール材３４が装着される溝を示している。
【００３２】
ろ過部材３３は、前記ネット２４より目が細かく電動送風機９に吸込まれる空気中に含まれる細塵を濾過分離により捕集するものである。このろ過部材３３の四周は二次フィルタ枠３２内に埋め込まれた状態で二次フィルタ枠３２に支持されている。この場合、ろ過部材３３は、より好ましい例として下側から上側に向かうに従い次第に前側壁１３ｄ側に寄るように斜め前側に傾斜して二次フィルタ枠３２に支持されている（図４参照）。ろ過部材３３の後面（下流側の面）は、ダストカップ１３の後方に露出されていて、集塵装置１１が掃除機本体２の集塵装置載置部４上に適正に配置された状態で、前記仕切り壁部２ｃにその前側（上流側）から接近して対向されるようになっている。
【００３３】
ろ過部材３３は、図８に示すように複数の上流側の襞３３ａ及び複数の下流側の襞３３ｂを有して波形状に形成されたプリーツフィルタからなる。ろ過部材３３の襞３３ａ，３３ｂは、いずれも上下方向に延びているとともに、前後方向に位置をずらしかつ左右方向（横方向）に沿って交互に設けられている。このろ過部材３３は襞３３ａ，３３ｂが並ぶ方向に沿って可撓変形が可能である。ろ過部材３３の下流側の襞３３ｂの配設ピッチは前記結合部２５の配設ピッチと等しく、二次フィルタ３１がダストカップ１３に取付けられた状態で下流側の襞３３ｂは結合部２５に対向するようになっている。
【００３４】
図６及び図８に示すように除塵装置４１は、ガイドレール４２と、除塵体４３とを備えていて、二次フィルタ３１のろ過部材３３の下流側に取付けられている。
【００３５】
即ち、ガイドレール４２は、ろ過部材３３の襞３３ａ又は襞３３ｂが並んだ方向に延びていて、その長手方向両端を二次フィルタ枠３２に連結して、ろ過部材３３の下流側に配設されている。このガイドレール４２は下流側の襞３３ｂが延びる方向の中間部好ましくは中央部に接近し対向している。
【００３６】
除塵体４３はガイドレール４２の長手方向に沿って移動可能に取付けられている。除塵体４３は図８に示すように二次フィルタ３１と対向する凸部４３ａを一個以上例えば二個有している。除塵体４３がガイドレール４２を摺動して左右方向に移動されたときの凸部４３の移動軌跡は、ろ過部材３３の下流側の襞３３ｂと直交し、それにより、これらの凸部４３が下流側の襞３３ｂをこの襞３３ｂが延びる方向の中間部を乗り越えると同時に、この襞３３ｂが左右方向に弾かれるようになっている。
【００３７】
除塵体４３の例えば裏面には係合部４３ｂが設けられている。係合部４３ｂに加えられる外力によって除塵体４３はガイドレール４２に沿って移動される。この係合部４３ｂは、集塵装置１１が掃除機本体２の集塵装置載置部４上に適正に配置された状態で図３に示した駆動部材３５に係合され、この係合は集塵装置１１を掃除機本体２から取出すに伴って解除されるようになっている。
【００３８】
駆動部材３５は前記本体ハンドル８が起倒されることに連動して左右方向に移動される。そのため、掃除機本体２の集塵装置載置部４上に適正に配置された状態で本体ハンドル８が起倒されると、係合部４３ｂに係合されている駆動部材３５が除塵体４３を左右方向に移動させるようになっている。又、集塵装置１１が掃除機本体２から取出された状態では、係合部４３ｂを指で摘んで手動により除塵体４３を左右方向に移動させることが可能である。
【００３９】
連結手段５１は、前記桟２３とろ過部材３３の下流側の襞３３ｂとにわたって設けられている。このために、図７で代表して示すようにろ過部材３３の各襞３３ｂは、それらが延びる方向の中間部に含浸された合成樹脂で硬化されている。これとともに、襞３３ｂから桟２３に達する断面が円形等の連結棒５２が一体に突設されていて、この連結棒５２の先端部が前記結合部２５に連結部品例えばねじ５５で固定されている。それによって、下流側の襞３３ｂの動きが連結棒５２によって一次フィルタ２１の桟２３に波及されるように形成されている。
【００４０】
更に、図７で代表して示すようにろ過部材３３には補強部３７が設けられている。補強部３７は襞３３ｂからろ過部材３３の裏面に向けて突出されている。この補強部３７は連結棒５２と一体に形成されている。前記除塵体４３の凸部４３ａは補強部３７を乗り越えて襞３３ｂを弾くようになっている。このような補強部３７を連結棒５２の延長上にこの連結棒５２と一体に設けることは、移動される除塵体４３と襞３３ｂとの接触の繰り返しによりろ過部材３３の損傷を防止できる点で好ましい。
【００４１】
電気掃除機１は、集塵装置載置部４と開閉部材６との間に集塵装置１１を挟持するとともに、開閉部材６の本体吸込み口６ａに前記吸込み風路体が備えた吸塵ホースの本体接続端部を接続した状態で、掃除機本体２内の電動送風機９を運転することにより使用される。この電動送風機９の運転により生じる吸気負圧は集塵装置１１を介して前記吸込み風路体に波及されるので、被掃除面の塵を吸引する掃除が行える。
【００４２】
この掃除により、吸込まれた含塵空気の内で、質量が大きい粗塵は、集塵装置１１のサイクロン部１２での慣性分離作用により、質量が小さい細塵から分離されて、一部の空気とともに集塵室１５に移動され、この一方で、空気及び細塵の一部は塵分離部１２ｂを通って通気室１６に移動される。
【００４３】
集塵室１５に流入した粗塵はサイクロン部１２より下流側に配置された一次フィルタ２１のネット２４に捕捉されて集塵室１５に溜められる。このろ過分離によりネット２４を通って粗塵から分離された空気及び細塵は、通気室１６において塵分離部１２ｂを通った空気及び細塵に合流する。そして、通気室１６内の空気及び細塵は、塵分離部１２ｂ及び一次フィルタ２１より下流側に配置された二次フィルタ３１のろ過部材３３によりろ過分離される。それにより、細塵はろ過部材３３に捕捉される。この一方で、二次フィルタ３１を通過した空気は、仕切り壁部２ｃの通気部２ｄを通って電動送風機９に吸込まれてから、掃除機本体２外に排出される。
【００４４】
掃除後等に電動送風機９の運転を停止した状態で、本体ハンドル８を起倒操作することにより、一次フィルタ２１と二次フィルタ３１の除塵が自動的になされる。
【００４５】
即ち、倒伏状態の本体ハンドル８が起こされることに連動して駆動部材３５が左方向又は右方向に移動され、この逆に起立状態の本体ハンドル８を倒伏させることに連動して駆動部材３５が右方向又は左方向に移動される。そして、この駆動部材３５に除塵装置４１が連動して除塵動作が行われる。
【００４６】
つまり、駆動部材３５によってこれが係合している除塵装置４１の除塵体４３がガイドレール４２に沿って左右方向に移動される。したがって、除塵体４３の凸部４３ａが、ろ過部材３３の下流側の襞３３ｂを保護した補強部３７に引っ掛かって襞３３ｂ等を撓ませながら補強部３７を乗り越えるので、壁３３ｂが弾かれてろ過部材３３が振動する。
【００４７】
この挙動を図８中で最も左端の襞３３ｂとその周囲部分の関係で代表して示す。具体的には、前記挙動の前半では、図８中実線で示すように下流側の襞３３ｂを保護した補強部３７に除塵体４３の凸部４３ａが引っ掛かって、襞３３ｂ及びその右側のろ過部分が除塵体４３の移動方向に引き摺られるように可撓変形する。前記挙動の後半では、除塵体４３の凸部４３ａが襞３３ｂを保護した補強部３７から外れるので、その直後に図８中点線で示すように襞３３ｂ及びこの襞３３ｂを挟む左右のろ過部分が、除塵体４３の移動方向（なお、図８は除塵体４３が右方向に移動される情況を示している。）と反対方向に急激に復元する。こうした襞３３ｂの可撓変形とその復元に伴い、襞３３ｂを中心としてろ過部材３３が左右方向に振動される。
【００４８】
そして、こうした挙動が、下流側の襞３３ｂと一体の補強部３７を除塵体４３の凸部４３ａが乗り越える度に行われて、下流側の襞３３ｂの可撓変形と復元の繰り返しによって連続的にろ過部材３３が振動される。それにより、二次フィルタ３１のろ過部材３３に捕捉されている細塵が、カップ底蓋１３ｂの細塵溜め部１７に向けて振るい落とされる。このように除塵体４３を移動させて襞３３ａ，３３ｂが延びる方向と交差する方向にろ過部材３３を振動させて二次フィルタ３１を除塵することは、二次フィルタ３１に対して裏側からの除塵動作であるにも拘わらず、ろ過部材３３の上流側の面に付着した細塵を容易かつ確実に振るい落すことができる。
【００４９】
一方、以上説明したろ過部材３３の振動は、二次フィルタ３１の前側に対向配置されている一次フィルタ２１に連結手段５１の連結棒５２を介して波及される。
【００５０】
即ち、図８での実線と点線との比較から分かるようにろ過部材３３の下流側の襞３３ｂが振動されることにより、この襞３３ｂとこれに一体に連続された連結棒５２の後端（二次フィルタ３１側の端）は左右方向に動かされる。この時の変位を図８中寸法Ｅで示す。しかし、連結棒５２の前端（一次フィルタ２１側の端）は桟２３に固定されていて左右方向に移動できない。そのため、図８中最も左端の連結棒５２で代表するように、連結棒５２は一次フィルタ２１に対して傾けられる。なお、図８中最も左端の連結棒５２以外の連結棒５２は傾けられていない状態を示している。
【００５１】
除塵体４３の移動に従い以上のように連結棒５２が傾けられるので、この傾きに応じて一次フィルタ２１の横桟部が、後側から捻られるように可撓変形する。この状態を図８中最も左端の連結棒５２の上側位置で示す。そして、この直後に既述のように前記下流側の襞３３ｂが急激に復元して、連結棒５２の傾きが急激に正されるに伴い、これと同時に前記捻りが解消されるように一次フィルタ２１の横桟部が復元する。これにより、一次フィルタ２１の桟２３は恰も前後方向に振動するように動かされる。
【００５２】
こうした桟２３の挙動により、この桟２３に固定されているネット２４も同様に捻られた直後にそれが解消されて、恰も前後方向に振動するように動かされるので、このネット２４の集塵室１５に臨んだ上流側の面に付着されている塵が振るい落とされる。このように一次フィルタ２１に対してその裏側からろ過部材３３の襞３３ｂの振動をネット２４に波及させて除塵動作をするにも拘わらず、ネット２４が恰も前後方向に振動するように動かされるので、ネット２４の上流側の面に付着した塵を容易かつ確実に振るい落すことができる。
【００５３】
したがって、本体ハンドル８を起倒操作することにより、又は掃除機本体２から取出された集塵装置１１に対してその除塵体４３を手動で動かす操作により、二次フィルタ３１に対する除塵をそれに見合った除塵態様で行うことができるだけではなく、これに連動させて一次フィルタ２１に対する除塵もそれに見合った除塵態様で同時に行うことができる。
【００５４】
そして、以上のように二次フィルタ３１を除塵する際に、特別に一次フィルタ２１に対する除塵を試みることなく、一次フィルタ２１を除塵できる。そのため、一次フィルタ２１に対する除塵が放置されて、そのネット２４が目詰まった状態に維持されることがない。したがって、ネット２４の目詰まりを原因とする通気抵抗で含塵空気の吸引力が低下することがなくなり、強い吸込みを持続させることができる。
【００５５】
なお、集塵装置１１に捕集された塵を捨てるには、使用者が手で開閉部材６を開くことによって掃除機本体２に対する集塵装置１１の拘束を解除し、この状態から集塵装置１１を掃除機本体２の収容空間Ｓから取出し、塵捨て場所においてカップ底蓋１３ｂを開くことに伴って、集塵装置１１内に捕集された塵が外部に排出されるので、これにより塵捨てが完了する。
【００５６】
図９は本発明の第２実施形態を示している。第２実施形態で第１実施形態と同じ構成については同一符号を付してその説明を省略する。第２実施形態では、二次フィルタ３１を任意に外すことができるように連結手段５１が構成されている。
【００５７】
すなわち、二次フィルタ３１はダストカップ（集塵容器）１３の後面開口部に着脱可能に嵌入して取付けられている。
【００５８】
連結手段５１は、複数の一次側連結部材５３と、これと同数の二次側連結部材５４とを有して形成されている。一次側連結部材５３は一次フィルタ２１の桟２３の横桟部に一体に形成されている。これら一次側連結部材５３は、通気室１６に臨んだ一次フィルタ２１の背面（下流側の面）に突出していて、その中央部に嵌合穴５３ａを有している。二次側連結部材５４は第１実施形態で説明した連結棒からなり、その先端部が嵌合穴５３ａに挿脱可能に嵌合されている。この着脱は、ダストカップ１３に二次フィルタ３１が着脱される方向に沿って行われるようになっている。言い換えれば、ダストカップ１３に対する二次フィルタ３１の着脱により、二次側連結部材５４は一次側連結部材５３の嵌合穴５３ａに挿脱されるようになっている。
【００５９】
なお、以上の構成に代えて、一次側連結部材５３を短い軸で形成し、二次側連結部材５４の先端部に嵌合穴を設けて、これらを凹凸嵌合させることにより、一次側連結部材５３と二次側連結部材５４とが着脱可能に接続される構成としても良い。又、一次側連結部材５３と二次側連結部材５４とをほぼ同じ長さとして、これら連結部材の一方の先端部に嵌合穴を設け、そこに他方の連結部材の先端部が着脱可能に嵌合される構成とすることもできる。
【００６０】
第２実施形態の電気掃除機の構成は、以上説明した事項以外は、図９に示されない構成を含めて第１実施形態と同じである。したがって、この第２実施形態でも、除塵装置４１の除塵体４３が移動されるに伴い、第１実施形態で既に説明した理由によって、二次フィルタ３１とその上流側に配置された一次フィルタ２１の除塵を夫々に見合った態様で同時に行うことができる。
【００６１】
しかも、第２実施形態では、連結手段５１の一次側連結部材５３がダストカップ１３の隔壁１４から外れないにも拘らず、連結手段５１の二次側連結部材５４が一次側連結部材５３から分離可能であるので、二次フィルタ３１をダストカップ１３から外すことが可能である。そのため、二次フィルタ３１に対してこれを任意に外して水洗いするメンテナンスができる利点がある。
【００６２】
図１０は本発明の第３実施形態を示している。第３実施形態で第１実施形態と同じ構成については同一符号を付してその説明を省略する。第３実施形態では、一次フィルタ２１の桟２３を連結棒５２でより大きく撓ませることができるとともに、二次フィルタ３１を任意に外すことができるように連結手段５１が構成されている。
【００６３】
すなわち、各連結棒５２は一次側連結棒５７とこれに分離可能に接続された二次側連結棒５８と形成されている。これら一次側連結棒５７と二次側連結棒５８の長さは異なっていても良いが、本実施形態ではほぼ同じである。
【００６４】
一次側連結棒５７は、一次フィルタ２１の桟２３にねじ５５等により固定されていて、二次フィルタ３１側に突出されている。なお、一次側連結棒５７は桟２３と一体に形成することができる。この場合、桟２３の厚みよりも一次側連結棒５７の直径を太くすることで、この一次側連結棒５７を変形し難くし、それにより、二次側連結棒５８の動きを確実に桟２３に波及させることが可能である。勿論、この波及作用をより確実にするために、桟２３とこの桟２３の成形材料である合成樹脂よりも硬質な合成樹脂で一次側連結棒５７を形成して、これらを二色成形法により一体に成形することも可能である。
【００６５】
これらの一次側連結棒５７の中間部はその支点となる枢軸５９により支持部材６０に回動可能に支持されている。支持部材６０は一次フィルタ２１と二次フィルタ３１との間に位置してカップ本体１３ａ内に固定されている。枢軸５９から桟２３までの距離Ｆは、一次側連結棒５７と二次側連結棒５８との接続部から枢軸５９までの距離Ｇよりも長い。そのため、これらの距離の比にしたがって、前記一次側及び二次側の連結棒の接続部の動きが拡大されて桟２３に波及されるようになっている。
【００６６】
二次側連結棒５８は二次フィルタ３１が備えるろ過部材３３の下流側の襞３３ｂに固定されている。この二次側連結棒５８の先端部（一次フィルタ側の端部）は太くなっていて、そこに前記接続部として嵌合穴５８ａが設けられている。この嵌合穴５８ａに一次側連結棒５７の二次フィルタ側の端部が着脱可能に嵌合されている。それにより、一次側連結棒５７と二次側連結棒５８とが着脱可能に接続される構成となっている。なお、この構成とは逆に、一次側連結棒５７の二次フィルタ側端部を太くしてそこに嵌合穴を設け、この嵌合穴に二次側連結棒５８の一次フィルタ側端部が着脱可能に嵌合される構成とすることもできる。
【００６７】
第３実施形態の電気掃除機の構成は、以上説明した事項以外は、図１０に示されない構成を含めて第１実施形態と同じである。したがって、この第３実施形態でも、除塵装置４１の除塵体４３が移動されるに伴い、第１実施形態で既に説明した理由によって、二次フィルタ３１とその上流側に配置された一次フィルタ２１の除塵を夫々に見合った態様で同時に行うことができる。
【００６８】
しかも、第３実施形態では、連結手段５１の一次側連結棒５７がダストカップ１３の隔壁１４から外れないにも拘らず、連結手段５１の二次側連結棒５８が一次側連結棒５７から分離可能であるので、二次フィルタ３１をダストカップ１３から外すことが可能である。そのため、二次フィルタ３１に対してこれを任意に外して水洗いするメンテナンスができる利点がある。
【００６９】
更に、連結手段５１の連結棒５２が一次側連結棒５７と二次側連結棒５８のニ本に分割されているので、連結棒５２を一本で長く形成する場合よりも、夫々の連結棒の長さが短くなるので、それらの曲げ強度が高い。そのため、除塵の際に下流側の襞３３ｂの動きに伴う連結棒５２の撓みが抑制されるに伴い、襞３３ｂの動きが確実に一次フィルタ２１の桟２３に波及されて、この一次フィルタ２１の除塵ができる。
【００７０】
加えて、連結棒５２の一次側連結棒５７は枢軸５９を支点として回動可能であり、その二次フィルタ側の端部の動きによって一次フィルタ側の端部の動きが、てこの原理により拡大される。このため、襞３３ｂの動きがより拡大されて一次フィルタ２１の桟２３に波及されて、この一次フィルタ２１を確実に除塵することができる。
【００７１】
なお、第３実施形態のように連結棒５２の一次側連結棒５７の中間部を枢軸（支点）で支持したことにより、この一次側連結棒５７を二次側連結棒５８のような真っ直ぐな棒ではなく、曲がった棒とすることが可能である。そして、このように一次側連結棒５７を曲がった棒とする場合には、その曲がりにより、カップ本体１３ａ内に前傾して斜めに配置された一次フィルタ２１に対して一次側連結棒５７を直角に固定することが可能であるから、一次フィルタ２１を確実に可撓変形させて除塵するのに好適である。
【００７２】
又、本発明は前記各実施形態に制約されない。例えば、前記各実施形態では、二次フィルタ３１が備えたろ過部材３３の下流側の襞３３ｂに連結棒５２を固定したが、これに代えて、連結棒５２をろ過部材３３の上流側の襞３３ａに固定することも可能である。除塵の際、ろ過部材３３の上流側の襞３３ａは、除塵体４３の動きに従い、襞が並ぶ方向の動きに加えて二次フィルタ３１の厚み方向に動かされるが、上流側の襞３３ａの後者の動きは（厚み方向の動き）、ろ過部材３３の下流側の襞３３ｂの同方向の動きよりも大きいので、一次フィルタの桟をより大きく可撓変形させる上で好ましい。又、ろ過部材３３の襞３３ｂを弾く除塵装置は、必ずしも二次フィルタ枠３２に支持させる必要はなく、二次フィルタ３１のろ過部材３３の下流側に配設されていればよく、二次フィルタ３１から離れて設けることも可能である。
【図面の簡単な説明】
【００７３】
【図１】本発明の第１実施形態に係る電気掃除機を示す斜視図。
【図２】第１実施形態に係る電気掃除機をその開閉部材が開かれた状態で示す斜視図。
【図３】第１実施形態に係る電気掃除機をその掃除機本体から分離された集塵装置とともに示す斜視図。
【図４】第１実施形態に係る電気掃除機が備える集塵装置を一部切欠いて示す側面図。
【図５】図４の集塵装置をその二次フィルタを外した状態で後側から見て示す斜視図。
【図６】図４の集塵装置の二次フィルタを後側から見て示す斜視図。
【図７】図５の二次フィルタの一部を拡大して示す断面図。
【図８】図４の集塵装置での一次フィルタと二次フィルタとの関係を概略的に示す横断平面図。
【図９】本発明の第２実施形態に係る電気掃除機が備える集塵装置での一次フィルタと二次フィルタとの関係を概略的に示す横断平面図。
【図１０】本発明の第３実施形態に係る電気掃除機が備える集塵装置での一次フィルタと二次フィルタとの関係を概略的に示す横断平面図。
【符号の説明】
【００７４】
１…電気掃除機、２…掃除機本体、９…電動送風機、１１…集塵装置、１３…ダストカップ（集塵容器）、１３ａ…カップ本体、１４…隔壁、１５…集塵室、１６…通気室、１７…細塵溜め部、２１…一次フィルタ、２２…一次フィルタ枠、２３…桟、２４…ネット、３１…二次フィルタ、３２…二次フィルタ枠、３３…ろ過部材、３３ａ…上流側の襞、３３ｂ…下流側の襞、４１…除塵装置、４２…ガイドレール、４３…除塵体、４３ａ…凸部、５１…連結手段、５２…連結棒、５２ａ…嵌合穴、５３…一次側連結部材、５４…二次側連結部材、５７…一次側連結棒、５８…二次側連結棒、５８ａ…嵌合穴（接続部）、５９…枢軸（支点）、６０…支持部材、Ｆ…一次側連結棒の支点から桟までの長さ、Ｇ…一次側連結棒の支点から一次側連結棒と二次側連結棒の接続部までの長さ
【図１】
2010125230.tif 000003
【図２】
2010125230.tif 000004
【図３】
2010125230.tif 000005
【図４】
2010125230.tif 000006
【図５】
2010125230.tif 000007
【図６】
2010125230.tif 000008
【図７】
2010125230.tif 000009
【図８】
2010125230.tif 000010
【図９】
2010125230.tif 000011
【図１０】
2010125230.tif 000012